(57)【要約】【課題】材料の段ボールの使用効率を低下させることなく、ケース上部を簡単に補強して、底上げの補助台として使用できるようにする。【解決手段】ケース下部１３とケース上部１４とに分離し、トレー状態となったケース下部１３から商品ａを露出させるラップランドケース１において、内フラップ６には、天面板４と対向する側縁６ｂから切り込まれて立面板３の反対側に曲がる切込１０を入れると共に、その切込１０の内端から内フラップ６の基端と平行に延びる折目線１１を入れて、折目線１１より先端側に補強板１２を形成すると共に、切込１０により補強板１２の基端から突出する戻止片１２ａを形成する。店頭で陳列する際、補強板１２の折り曲げの戻りを戻止片１２ａで阻止し、ケース上部１４をケース下部１３の下方に置いて底上げの補助台として用い、ケース下部１３を高い位置に展示する。【選択図】図６
2011105314.tif 000002
【特許請求の範囲】
【請求項１】
底面板（２）と一対の立面板（３）と天面板（４）を連設して、商品を包み込み、各立面板（３）から延びる内フラップ（６）と、底面板（２）および天面板（４）から延びる外フラップ（７）とを貼り合せて組み立て、店頭で陳列する際、前記立面板（３）から内フラップ（６）の端縁（６ａ）に亘って延びる引裂帯（８）を切断して、ケース下部（１３）とケース上部（１４）とに分離し、トレー状態となったケース下部（１３）から商品を露出させるラップラウンドケース（１）において、
前記内フラップ（６）には、前記天面板（４）と対向する側縁（６ｂ）から切り込まれて前記立面板（３）の反対側に曲がる切込（１０）を入れると共に、その切込（１０）の内端から前記内フラップ（６）の基端と平行に延びる折目線（１１）を入れて、前記折目線（１１）より先端側に補強板（１２）を形成すると共に、前記切込（１０）により前記補強板（１２）の基端から突出する戻止片（１２ａ）を形成し、店頭で陳列する際、前記引裂帯（８）の切断に伴い、前記ケース下部（１３）と分離した前記ケース上部（１４）では、前記補強板（１２）を前記折目線（１１）に沿って内側に折り曲げ、その補強板（１２）の折り曲げによって生じる復元力による戻りを、前記戻止片（１２ａ）が前記外フラップ（７）に当接することで防ぎ、前記補強板（１２）を９０°より大きな角度に折り曲げた状態に保持するようにし、このようなケース上部（１４）を、前記ケース下部（１３）の下方に置いて底上げの補助台として用い、前記ケース下部（１３）を高い位置に展示するようにしたことを特徴とするラップラウンドケース。
【発明の詳細な説明】
【技術分野】
【０００１】
この発明は、飲料缶等の包装に使用されるラップラウンドケースに関する。
【背景技術】
【０００２】
図８に示すように、飲料缶等の商品の包装に使用されるラップラウンドケース２１として、底面板２２と一対の立面板２３と天面板２４を継代片２５での接合により連設して、商品ａを包み込み、各立面板２３から延びる内フラップ２６と、底面板２２及び天面板２４から延びる外フラップ２７とを貼り合せて組み立てるものが一般的に知られている。
【０００３】
このようなラップラウンドケース２１では、立面板２３から内フラップ２６の端縁に亘って連続的に引裂帯２８が設けられており、店頭で数段に積み上げて大量陳列する際、最上段に位置するラップラウンドケース２１は、引裂帯２８を切断して、ケース上部を除去し、図７（ｂ）に示すように、トレー状態となったケース下部２９から商品ａを露出させるようにする。
【０００４】
ところが、上記のような店頭での大量陳列に際し、競合商品ｂも、上記と同様の展開を図って大量陳列されているので、隣接する最上段のラップラウンドケース２１の高さが揃っていると、ケース下部２９から露出させた商品ａが消費者の目に触れにくいという問題がある。特に、隣接するラップラウンドケース２１の側面側から見た場合、商品ａが競合商品ｂによってほとんど隠れてしまうので、消費者が商品ａに気づかないことがある。
【０００５】
その対策として、店頭で大量陳列する際、除去されたケース上部を、ケース下部の下方に置いて、ケース下部を高い位置に展示する底上げの補助台として用い、隣接する最上段のラップラウンドケースに段差をつけて、立体的に変化のあるイメージを与え、消費者の目に触れやすくすることが考えられるが、従来のラップラウンドケースでは、ケース上部に、商品の重みに耐え得るほど強度がないので、このような展示ができない。
【０００６】
このため、例えば、特許文献１に記載された補強構造を、ケース上部の各角部に設けることが考えられる。この補強構造は、図９に示すように、内フラップ２６を、その折目線に沿って内側へ折り曲げ、先端部を立面板２３の内面に接着することにより、断面三角形の空間を有する柱状補強部２６ａに組み立てたものである。
【先行技術文献】
【特許文献】
【０００７】
【特許文献１】実開昭６２−１７５１３号公報
【発明の概要】
【発明が解決しようとする課題】
【０００８】
しかしながら、図９に示すような柱状補強部２６ａによる補強構造では、内フラップ２６の先端部を立面板２３の内面に接着するため、内フラップ２６を長くする必要があり、このため、内フラップ２６が外フラップ２７よりも長くなってしまい、材料の段ボールを効率的に使用することができなくなる。
【０００９】
また、柱状補強部２６ａの組立のため接着剤や両面粘着テープを要し、店頭でこのようなものを用いて接着作業を行うのは、現実には困難である。
【００１０】
そこで、この発明は、ラップラウンドケースにおいて、材料の段ボールの使用効率を低下させることなく、ケース上部を簡単に補強して、底上げの補助台として使用できるようにすることを課題とする。
【課題を解決するための手段】
【００１１】
上記課題を解決するため、この発明は、底面板と一対の立面板と天面板を連設して、商品を包み込み、各立面板から延びる内フラップと、底面板および天面板から延びる外フラップとを貼り合せて組み立て、店頭で陳列する際、前記立面板から内フラップの端縁に亘って延びる引裂帯を切断して、ケース下部とケース上部とに分離し、トレー状態となったケース下部から商品を露出させるラップランドケースにおいて、前記内フラップには、前記天面板と対向する側縁から切り込まれて前記立面板の反対側に曲がる切込を入れると共に、その切込の内端から前記内フラップの基端と平行に延びる折目線を入れて、前記折目線より先端側に補強板を形成すると共に、前記切込により前記補強板の基端から突出する戻止片を形成し、店頭で陳列する際、前記引裂帯の切断に伴い、前記ケース下部と分離した前記ケース上部では、前記補強板を前記折目線に沿って内側に折り曲げ、その補強板の折り曲げによって生じる復元力による戻りを、前記戻止片が前記外フラップに当接することで防ぎ、前記補強板を９０°より大きな角度に折り曲げた状態に保持するようにし、このようなケース上部を、前記ケース下部の下方に置いて底上げの補助台として用い、前記ケース下部を高い位置に展示するようにしたのである。
【発明の効果】
【００１２】
この発明によれば、補強板を折目線に沿って内側に折り曲げるだけで、９０°より大きな角度に折り曲げた状態に保持して、店頭で簡単にケース上部を補強することができ、ケース上部を補助台として、ケース下部を底上げ展示し、隣接する最上段のラップラウンドケースに段差をつけて、ケース下部から露出させた商品を消費者の目に触れやすくすることができる。特に、隣接するラップラウンドケースの側面側から見ても、ケース下部から露出させた商品が消費者の目に触れることができる利点がある。また、内フラップを特に長くすることなく、内フラップと外フラップの長さを揃えて、材料の段ボールを効率的に使用することができ、コスト増加を招くことがない。
【図面の簡単な説明】
【００１３】
【図１】この発明の実施形態に係るラップラウンドケースのブランクを示す図
【図２】同上のラップラウンドケースの包装状態を示す斜視図
【図３】同上の引裂帯を切断して、ラップラウンドケースを商品が露出したケース下部とケース上部とに分離した状態を示す斜視図
【図４】同上のケース上部を上下反転して補強板を折り曲げる過程を示す部分拡大斜視図であり、（ａ）は補強板の折曲前の状態を示す図、（ｂ）は補強板が折曲状態に保持された状態を示す図
【図５】同上の補強板を折り曲げたケース上部を示す斜視図
【図６】同上のケース上部を底上げの補助台として用いる際のセットの仕方を示す斜視図
【図７】ラップラウンドケースの大量陳列を示す正面図であり、（ａ）はこの発明に係るラップラウンドケースの陳列状態を示す図、（ｂ）は従来のラップラウンドケースの陳列状態を示す図
【図８】従来の一般的なラップラウンドケースの包装状態を示す斜視図
【図９】特許文献１に記載された柱状補強部を有するラップラウンドケースの組立過程を示す斜視図
【発明を実施するための形態】
【００１４】
この発明の実施形態のラップラウンドケースを図面に基づいて説明する。図１に示すように、段ボール製ラップラウンドケース１のブランクは、底面板２の両側に立面板３、３が連設され、一方の立面板３には天面板４が、他方の立面板３には継代片５がそれぞれ連設されている。立面板３には、その両端から延びる内フラップ６、６が設けられ、底面板２と天面板４には、その両端から延びる外フラップ７、７がそれぞれ設けられている。
【００１５】
立面板３とその両側の内フラップ６には、これらの内フラップ６の端縁６ａを両端として連続して延びる引裂帯８が設けられている。引裂帯８は、段ボールを厚さ方向に半分程度切り込んだ半切線により形成してもよく、段ボールの裏面にカットテープを貼り付けたものとしてもよい。また、立面板３の中央部には、引裂帯８を切断する際の摘み部９が段ボールを厚さ方向に貫通するＨ字状の全切線により形成されている。
【００１６】
内フラップ６には、図１、図２に示すように、ラップラウンドケース１の組立状態で天面板４と対向する側縁６ｂから切り込まれ、内フラップ６の基端と平行に延びて立面板３の反対側に曲がるヘ字状の切込１０と、その切込１０の内端から引裂体８の位置まで内フラップ６の基端と平行に延びる折目線１１とが設けられている。そして、折目線１１より先端側に補強板１２が形成されると共に、切込１０により補強板１２の基端から突出する戻止片１２ａが形成されている。
【００１７】
上記のように構成されたラップラウンドケース１は、飲料缶等の商品を底面板２、一対の立面板３及び天面板４で包み込み、継代片５を天面板４の裏面に接着剤で貼り付け、内フラップ６の表面のうち補強板１２を除いた部位に接着剤を塗布して、内フラップ６と外フラップ７とを貼り合せることにより組み立てる。
【００１８】
そして、このようにラップラウンドケース１で包装した商品を店頭で大量陳列する際には、複数のラップラウンドケース１を数段に積み上げ、最上段に置くラップラウンドケース１の立面板３の摘み部９を押し込んで摘み、その摘み部９から引裂帯８を両方向に切断することにより、図３に示すように、ラップラウンドケース１をケース下部１３とケース上部１４とに分割し、ケース上部１４を除去して、トレー状態となったケース下部１３から商品ａを露出させる。
【００１９】
次に、ケース上部１４を上下反転し、補強板１２を、図４（ａ）の矢印のように、折目線１１に沿って内側に折り曲げる。この折り曲げに伴い、外フラップ７が戻止片１２ａにより外側へ押されて撓み、図４（ｂ）に示すように、補強板１２の折り曲げ角度が９０°を超えると、外フラップ７の撓みが復元して、補強板１２の折曲部分の復元力による戻りが、外フラップ７に戻止片１２ａが当接することで防がれ、補強板１２が９０°より大きな角度に折り曲げた状態に保持される。これにより、図５に示すような状態となったケース上部１４は、補強板１２が各角部のリブとして作用し、耐圧強度が高められる。
【００２０】
その後、図６に示すように、補強板１２が折曲状態に保持されたケース上部１４を再び上下反転させて元に戻し、このケース上部１４を底上げの補助台として用い、ケース下部１３を高い位置に展示する。具体的には、図７（ａ）に示すように、最上段の一段下となるラップラウンドケース１の上に、最上段となるラップラウンドケース１の補強したケース上部１４を置き、その上にケース下部１３を置く。これにより、ケース下部１３から露出した商品ａが、従来のラップラウンドケース２１で包装した他の競合商品ｂよりも高い位置に置かれて消費者の目に触れやすくなる。
【００２１】
このように、上記ラップラウンドケース１では、補強板１２を折目線１１に沿って内側に折り曲げるだけで、９０°より大きな角度に折り曲げた状態に保持して、店頭で簡単にケース上部１４を補強することができ、ケース上部１４を補助台として、ケース下部１３を底上げ展示し、隣接する最上段のラップラウンドケース２１に段差をつけて、商品ａを消費者の目に触れやすくすることができる。特に、隣接するラップラウンドケース２１の側面側からでも、商品ａが消費者の目に触れることができる利点がある。
【００２２】
また、内フラップ６を特に長くすることなく、内フラップ６と外フラップ７の長さを揃えて、材料の段ボールを効率的に使用することができ、コスト増加を招くことがない。
【００２３】
上記実施形態では、ラップラウンドケース１を大量陳列する際、複数のラップラウンドケース１を数段に積み上げ、最上段に置くラップラウンドケース１をケース下部１３とケース上部１４とに分割して、そのケース上部１４を底上げの補助台として用いたが、複数のケース上部１４を数段に積み上げ、その最上段のケース上部１４の上に、上記実施形態と同様、商品ａをトレー状態で載せたケース下部１３を置くようにしてもよい。このようにすると、ラップラウンドケース１の段数が少なくなった場合でも、ケース上部１４を底上げの補助台として複数用いることで、商品ａの高さを高くすることができる。
【００２４】
また、上記実施形態では、図７（ａ）に示すように、ラップラウンドケース１と従来のラップラウンドケース２１とを並列に大量陳列したが、ラップラウンドケース１のみを並列に大量陳列してもよい。この場合、互いに隣接する最上段のラップラウンドケース１、１のうちの一方のみに、上記実施形態と同様、ケース上部１４を底上げの補助台として用いて段差をつけると好ましい。このようにすると、より多くの商品ａが消費者の目に触れるようになるだけでなく、商品ａに対して立体的に変化のある陳列イメージも与えるので、消費者の購買意欲を高めることができる。
【符号の説明】
【００２５】
１        ラップラウンドケース
２        底面板
３        立面板
４        天面板
６        内フラップ
６ａ      端縁
６ｂ      側縁
６ｃ      側縁
７        外フラップ
８        引裂帯
９        摘み部
１０      切込
１１      折目線
１２      補強板
１２ａ    戻止片
１３      ケース下部
１４      ケース上部
【図１】
2011105314.tif 000003
【図２】
2011105314.tif 000004
【図３】
2011105314.tif 000005
【図４】
2011105314.tif 000006
【図５】
2011105314.tif 000007
【図６】
2011105314.tif 000008
【図７】
2011105314.tif 000009
【図８】
2011105314.tif 000010
【図９】
2011105314.tif 000011